(57)【要約】【課題】従来の演出照明における照明装置及び画像表示装置は、別体に構成されているために設置スペースを要し、より良い演出効果が望めない。また設置や撤収に手間や作業時間が掛かり、またそれぞれの装置の制御系統が異なるために統一的な操作ができず操作性の向上も望まれている。【解決手段】本発明は、画像表示部と照明光の照射部が一体的に設けられた演出効果を実現する照明装置であり、同じ制御系信号により動作して、照明装置本体の姿勢をチルト及びパンすることにより、所望する方向に、照明光を照射し且つ画像を視認させる照明装置である。【選択図】      図１
2006107921.tif 000002
【特許請求の範囲】
【請求項１】
光源部及び広がり角を調整可能な投光系を内蔵し、照明光を所望の広がり角で照射する照明装置本体と、
前記照明装置本体を第１の方向に回動可能に支持し、照射される照明光を該第１の方向に振る支持部と、
前記支持部と接続して前記第１の方向と直交する第２の方向に回動可能に支持し、外部部位に取り付ける固定台部と、
前記照明装置本体内に設けられ、前記支持部及び前記固定台部における各回動を行う駆動部と、
前記駆動部を制御して、前記照明装置本体姿勢を制御する姿勢制御部と、
前記照明装置本体の前記投光系が配置された面に対する側面に、スペースを空けて配設され、任意の画像を表示する画像表示部と、
を具備し
前記照明装置本体から照射される照明光の光軸に対して、略平行する方向に前記画像表示部の表示画面を向けることを特徴とする照明装置。
【請求項２】
前記照明装置は、
前記画像表示部に表示させるための複数の画像を蓄えるサーバを具備することを特徴とする請求項２に記載の照明装置。
【請求項３】
前記照明装置を吊り下げ取り付けした状態において、
前記第１の方向は垂直方向であり、前記第２の方向は水平方向であり、
前記照明装置本体の姿勢を制御することにより、全方向に照射光を照射可能に構成されることを特徴とする請求項１に記載の照明装置。
【請求項４】
前記照明装置は、
前記照明装置本体姿勢を制御して前記照明光の照射方向、回動速度及び照明光の広がり角を有線又は無線による通信で指示を与える照明制御装置を具備することを特徴とする請求項１に記載の照明装置。
【請求項５】
前記照明制御装置は、さらに、
前記画像表示部に画像が選択表示されるように前記サーバへ指示することを特徴とする請求項４に記載の照明駆動装置。
【請求項６】
前記画像表示部は、前記照明装置本体と冷却作用を促すためのスペースを空けて配設する熱伝導性の低いスペーサを具備することを特徴とする請求項１に記載の照明装置。
【請求項７】
前記照明装置は、複数台用いられて２次元に配置され、前記照明制御装置の指示に従い、各前記画像表示部に１つ画像が複数に分割される部分画像をそれぞれに表示して、前記複数台による１つの拡大画像を表示することを特徴とする請求項１に記載の照明装置。
【請求項８】
前記照明装置は、複数台用いられて、２次元に配置され、前記照明制御装置の指示に従い、照明光を照射する群と、画像を表示する群とに分けられることを特徴とする請求項１に記載の照明装置。
【請求項９】
前記照明装置本体内には、さらに、
前記照明光の調光を制御するインテンシティ制御部と、
前記照明光の色変化処理を行う複数色のカラーフィルタを制御するカラーシステム制御部と、
投影模様を形成した投影板であるゴボホイールを制御するゴボシステム制御部と、
前記照明装置本体内を冷却に用いられるエアーを吸引・排出するための冷却部と、
を具備することを特徴とする請求項１に記載の照明装置。
【請求項１０】
前記照明装置は、
前記照明装置本体内に設けられた前記光源部からの放熱を遮断するために、前記照明装置本体との間に介在する断熱部材を具備することを特徴とする請求項１に記載の照明装置。
【発明の詳細な説明】
【技術分野】
【０００１】
本発明は、照明光を照射する照明部と画像を表示する画像表示部が一体的に構成される照明装置に関する。
【背景技術】
【０００２】
一般に、演劇や舞踊、音楽などステージで展開される興行に際して視覚に与える演出、即ち照明光による演出効果を得るための照明分野において、コンピュータ制御による多様な照明を実現する照明装置が提供されている。さらに照明光による演出効果に加えて、画像表示装置（画像映出装置）による画像演出が広く利用されている。
【０００３】
例えば、特許文献１に記載される空間演出照明装置は、図７に示すようにライト本体１１０、ライト本体１１０を支えるアーム１１１、ライト本体１１０を垂直及び水平回転させるための垂直回転運動駆動機構部１１２及び水平回転運動駆動機構部１１３により構成されている。  
この空間演出照明装置は、ライト本体１１０の照明光の照射方向やその広がり角などを組み合わせた空間演出用の演出データに基づき、垂直回転運動駆動機構部１１２及び水平回転運動駆動機構部１１３が駆動され、効果的な演出が実現される。
【０００４】
また、特許文献２に記載される照明制御装置は、図８に示すように照明器具１０１及び照明器具１０１と信号線１０２で接続されている操作部１０３により構成されている。さらに操作部１０３には、図示されていない複数の操作ボタンが設けられている。これらの操作ボタンを操作することにより操作部１０３は、各ボタンに割り振られた制御パターンの制御信号を作成し照明器具１０１に送信する。
【０００５】
これにより各操作ボタンを操作することにより照明器具１０１は、照明色、照明模様及び照明方向等の照明可変要素を手動で制御することなく遠隔制御することができる。
【特許文献１】特開２００２―４３０７４２
【特許文献２】特開２００３―０７７３１６
【発明の開示】
【発明が解決しようとする課題】
【０００６】
前述した特許文献１に記載されている空間演出照明装置及び特許文献２に記載されている照明制御装置は、照明光を照射する機能のみを有している。このため、画像表示による演出効果を併せて得たい場合には、別途、画像表示装置を配設しなければならない。
【０００７】
照明装置と画像表示装置を併設した場合には、それぞれに配置場所を確保しなければならず、ステージの大きさにより、演出が制限される場合がある。また、画像を投影するプロジェクタでは、大きな拡大画面の映像が得られるが、画面の輝度が低くなり見えづらい上、照明光の有無により画像が判別できない状態にもなる。そこで、ＬＥＤにより形成された明るい表示画面を表示する画像表示装置を複数用いて、２次元的に配設した場合には、画面を構成する部分には照明装置を配設できず、照明装置をその画面内に配置すると、ズームアップした画像を表示した時には画像の欠如する部分が発生し、１画像における構図の繋がりが粗くなり、期待した映像の演出効果が得られない場合がある。
【０００８】
さらに、照明装置と画像表示装置を併設した場合、接続構成や制御系が異なると操作が煩雑なものとなり、演出作業が容易ではなくなる。また、設置や撤収する手間や作業時間を要することから、コスト的にも作業効率の点からも好ましくはない。
【０００９】
そこで本発明は、照明光を照射する機能に加えて、照射光を照射する面に対する側面側に表示装置を一体的に併設することにより、設置や撤収が容易になり、照明と画像装置の容易な操作で複雑で効果的な演出を実現する照明装置を提供することを目的とする。
【課題を解決するための手段】
【００１０】
本発明は上記目的を達成するために、光源部及び広がり角を調整可能な投光系を内蔵し、照明光を所望の広がり角で照射する照明装置本体と、前記照明装置本体を第１の方向に回動可能に支持し、照射される照明光を第１の方向に振る支持部と、前記支持部と接続して前記第１の方向と直交する第２の方向に回動可能に支持し、外部部位に取り付ける固定台部と、前記照明装置本体内に設けられ、前記支持部及び前記固定台部における各回動を行う駆動部と、前記駆動部を制御して、前記照明装置本体姿勢を制御する姿勢制御部と、前記照明装置本体の前記投光系が配置された面に対する側面に、スペースを空けて配設され、任意の画像を表示する画像表示部と、を具備し、前記照明装置本体から照射される照明光の光軸に対して、直交する方向に前記画像表示部の表示画面を向ける照明装置を提供する。
【発明の効果】
【００１１】
本発明は、照明光を照射する機能と画像を表示する機能を一体的に構成したことにより、照明専用装置と画像表示装置の設置及び撤収に比べて、作業の手間の簡略化及び、作業時間の短縮化を実現する。さらに、１つの興行における演出装置の荷物総量を減少させることができ、搬送にかかる手間も少なくなる。
【００１２】
また、照明装置と画像表示装置を同じ位置に配設できることから、共に駆動させて回動動作させるだけで、照明効果と画像効果と瞬時に切り換えることができ、斬新な演出効果を実現することができる。
【発明を実施するための最良の形態】
【００１３】
以下、図面を参照して本発明の実施形態について詳細に説明する。  
以下の説明における照明装置本体の姿勢の振れ方向については、垂直方向（第１の方向又はＹ軸方向）の振れをチルトと称し、水平方向（第２の方向又はＸ軸方向）の振れをパンと称している。
【００１４】
図１、図２及び図３を参照して本発明に関わる第１の実施形態について説明をする。  
図１は、第１の実施形態に関する照明装置の外観構成を示す図である。図２は、照明装置本体がＹ軸方向下向きに照明光を照射する状態で非画像表示部（裏面）側面から見た内部構成を示す概略図である。図３は、図２における装置本体の側面からみた構成を示す図である。本実施形態において照明装置本体（筐体）にレンズ部が設けられた面を正面とし、表示画面が設けられた面を含み正面と辺が接する面を側面とする。
【００１５】
この第１の実施形態に係る照明装置１は、照明装置本体２における筐体２ａ正面に設けられ、光源１３からの光を集光し任意の広がり角で照明光３０を照射するレンズ部３と、筐体２ａの一側面に設けられる例えば、液晶ディスプレイやプラズマディスプレイ等からなる画像表示部４と、画像表示部４の非表示画面（裏面）側に設けられ、光源により発生した熱の伝導を防止するための断熱部材５と、画像表示部４（断熱部材５を含む）を照明装置本体２に取り付けるスペーサ６と、筐体２ａの２側面にチルト可能に固定され、照明装置本体２を懸装するように支持するコの字形状の支持体７と、支持体７をパン可能に支持し、ステージに設けられた支柱等の外部部材に固定するための固体台部８とにより構成されている。スペーサ６は、熱伝導率の低い材料により形成され、その長さは、画像表示部４と照明装置本体２との間に熱を遮断するための空間（距離）が設けられる長さに調整されている。
【００１６】
また、照明装置本体２の内部には、光源部１３と、インテンシティ制御部１４と、カラーシステム制御部１５と、ゴボシステム制御部１６と、レンズ制御部２３とを設けている。さらに照明装置本体２には、支持体７と連結するギア９と、ギア９に歯合するモータ部１０が設けてられている。このモータ部１０の回転により、支持体７に対して照明装置本体２がチルト（垂直方向の振れ）される。
【００１７】
また、照明装置本体２の側面には、光源部１３により発生する熱をエアーの吸排気により放熱させるための吸気部１７と排気部１８とが上下方向に離れて設けられている。吸気部１７及び排気部１８のいずれか一方、又はそれらの両方にエアーを吸気／排気するためのファンを設けている。このような配置により、冷却用のエアーが照明装置本体２内部の中央付近を抜けるように斜め（対角線）に流れる。勿論、この配置に限定されるものではなく、設計仕様に従い適宜変更することは可能である。尚、この実施形態では、空冷式による冷却構成であるが、冷媒を用いた水冷方式であってもよい。
【００１８】
また、固定台部８も同様に支持体７に対して、パンを行うために内部にモータ部１１及びギア１２を備え、光源部１３に電力供給を行う図示しない電源供給部、画像表示部４に対して画像表示を行うための電源供給部、照明光の制御を行う制御処理信号部及び画像処理信号部を設けている。さらに固定台部８は、例えばクランプといった取り付け金具や台座を用いることにより、ステージ上方に設けられた支柱からの吊り下げ、ステージ上に設置されている大道具等に対して掛ける横吊り及びステージ上に配置する床置きといった様々な場所に設置できる構成である。
【００１９】
次に図１、図２及び図３を参照して第１の実施形態に係る照明装置１における照明駆動方法について詳細に説明する。  
照明装置１内には、照明光を発生する光源部１３と、光源１３から照射される照明光をフェードイン又はフェードアウトする絞り制御を行うインテンシティ制御部１４と、照明光を所望する色に素早く切り換え可能なカラーシステム制御部１５と、光源の前に配置され、例えば円盤形状のホイールに描かれた複数の図柄に照明光を透過させてその図柄を投影するゴボ（ＧＯＢＯ）ホイールを有するゴボシステム制御部１６と、照明光を照射する際にシャッタ制御により照射の有無を制御するレンズ制御部２３と、照明光を任意の広がり角で照射するレンズ部３とが設けられている。また、排出部１８は、筐体２のスペーサ６を配置された筐体２の側面部に配置されている。吸引部１７から吸引されたエアーは、光源部から放出される熱を排出部１８から外部に排出することにより照明装置本体２内に熱が籠もることを防止して、内部を好適な温度に保持している。
【００２０】
画像表示部４は、例えば、液晶ディスプレイを採用した場合には、複数のＬＥＤ素子から構成される平面表示画面を有しているため、多様な画像を表示することができる。
【００２１】
照明装置本体２は、内部に設けられたモータ部１０及びギア９により支持体７に対して姿勢をチルトさせる。また固定台部８は、内部に設けられたモータ部１２及びギア１１により支持体７とパンさせる。これらの操作は、例えばＤＭＸ信号であるデジタル制御信号により有線若しくは無線の遠隔操作による制御方法である。遠隔操作により照明装置本体２は、モータ部１０及び１１を駆動させることで所望する速度であらゆる方向の姿勢制御を行うことができる。
【００２２】
次に図４を参照して、照明装置本体２及び画像表示部４における照明及び表示制御に関して詳細に説明する。図４（ａ）は、照明制御部による制御を有線通信で行う構成例を示し、図４（ｂ）は照明制御部による制御を無線通信で行う構成例を示す。
【００２３】
図４（ａ）に示す構成において、操作者の指示による照明制御部２０により送信されたデジタル制御信号は、固定台部８に内蔵された第１のプロセッサ２１に送信される。この第１プロセッサ２１は、デジタル制御信号に基づき、モータ部１１を駆動制御して所望するパン動作を行う。
【００２４】
また、同様に照明装置本体２に内蔵された第２のプロセッサ２２に送信されたデジタル制御信号に基づきモータ部１０を駆動制御して所望するチルト動作を行う。第２のプロセッサ２２は、前述したインテンシティ制御部１４、カラーシステム制御部１５、ゴボシステム制御部及びレンズ制御部２３を制御して、指示された照明光を照射する。
【００２５】
また、画像表示においては、操作者が照明制御部２０を操作して映像用サーバ２４に記録されている多数の画像の中から画像データを選択してＬＥＤ制御コンピュータ２５に送信する。ＬＥＤ制御コンピュータ２５では、所定の画像処理を行い、映像信号として固定台部８内に配置されたＬＥＤ制御ボード２６へ送信する。さらに、画像表示部４の液晶表示パネルは、ＬＥＤ制御ボード２６からの映像信号に対応した画像を表示する。
【００２６】
また、照明光及び表示画像に対するそれぞれの制御は、１台の照明制御部２０を操作することにより容易にでき、さらに、画像表示を制御するために映像用サーバ２４を利用することにより、同一化した照明標準信号を用いて、画像表示と照明光の制御ができる。この制御信号を有線又は無線により照明制御部２０から遠隔配置されたそれぞれの照明装置本体２に対して送信することで遠隔操作が実現される。
【００２７】
また設置場所等の関係で有線接続が行えない状況の場合には、図４（ｂ）に示すように、照明装置本体２と照明制御部２０との間に送受信機３１，３２を設けて、無線通信による照明制御も可能である。通信方式は一般的な方式を用いればよい。
【００２８】
以上説明したように、本実施形態による照明装置は、照明部と画像表示部を一体的に搭載するように構成され、共通する照明標準信号によって照明時には所望する色と広がり角の照明光を照射し、且つチルト及びパンを駆動して照明装置本体の姿勢を制御することにより所望する照射方向に照明光を照射して、照明装置正面だけではなく側面や周辺に所在する観客らに対しても操作者の意図する照明効果を得ることができる。さらに、照明装置本体をチルトさせるだけで、この照明効果に加えて、表示画像に切り換えることもでき、画像の視覚効果も得ることができる。
【００２９】
さらに本実施形態のよる照明装置１は、照明部と画像表示部が一体化しているため、照明装置と表示装置が別体である従来構成に対して、設置及び撤収の作業が容易であり、作業時間の短縮化を実現する。
【００３０】
また照明部及び画像表示部が１台の照明制御部により同一の照明標準信号によりそれぞれ制御できるため、システム構成が簡易化され、また、有線や無線による遠隔操作が容易になる。
【００３１】
次に、実際に照明装置１を複数台用いた照明システムについて説明する。  
図５及び図６は、前述した実施形態の照明装置１を複数台用いて、例えば、マトリックス状に配置した照明システム（照明セット）である。図５に示す構成部位において、前述した構成部位と同等の構成部位には同じ参照符号を付してその説明を省略する。
【００３２】
この照明システムの例では、照明制御部２０を操作することにより、照明装置群４１のうちの中央側に配置された照明装置群４１ａを画像が表示できるように照明装置本体２の正面（レンズ装着面）が下を向くようにチルトした状態であり、周囲の照明装置群４１ｂは正面を向き照明光を照射できる状態となっている。この状態においては、照明装置群４１ａには画像が表示され、照明装置群４１ｂから照明光が照射される。操作者は照明制御部２０を操作することにより、図６に示すように照明装置群４１ａをチルトさせて、照明装置群４１ｂと同じ状態にすると共に照明光を照射させる。このように画像と照明光の切り換えが照明装置本体２のチルト動作だけで実現する。
【００３３】
従って、照明光による演出と、画像表示による演出が一瞬で切り換えることができ、照明光と画像が混在する、これまでにない斬新な演出が実現する。例えば、マトリックス状に配置された全照明装置が表示画面を正面にして、演出者のズーミング画像を表示画面に表示している演出から、一瞬のチルト動作により一部又は全部の照明装置１が照明光を照射する演出などを実現できる。特に、従来の表示装置と照明装置が別体であった場合には、交互に配置するか又は、照明エリアと表示エリアを別々に設けることしかできなかったが、本実施形態によれば、図５及び図６に示すような照明装置間の隙間を狭めた配置はでき、これまでにない演出を行うことができる。
【００３４】
尚、操作者が照明や画像表示の常時操作を行わなくても、予め照明や画像表示の手順をプログラム化して制御部等のメモリに記憶させておくことにより、演出を実施する場合には、そのプログラムを読み出して実行させることにより容易に且つ操作ミスのない演出効果を得ることができる。
【００３５】
尚、本発明では興行に使用される舞台照明に好適するシステムとして説明したが、舞台照明に限定されるものではない。なお、この発明は、上記実施形態そのままに限定されるものではなく、実施形態ではその要旨を逸脱しない範囲で構成要素を変形して具体化できる。
【００３６】
例えば、本実施形態では、表示部の表示パネルを照明装置１の側面に固定しているがこれに限定されず、表示パネルの一辺をヒンジ等で照明装置本体２に取り付けて、表示画面が立ち上がる構造にすれば、照明装置１の姿勢に限定されずに表示画面を観客側に向けることができる
さらに、前述した実施形態では、装置本体を懸装する支持体７は、コの字形状を成し、照明装置本体２の２つの側面に取り付けられた構成であったが、１側面に回動可能に取り付けられた片持ち形状であってもよい。
【００３７】
また、本実施形態による照明装置１の画像表示部４は、バックライト付きの液晶ディスプレイを例として説明したが、これに限定されるものではなく、プラズマディスプレイやＥＬディスプレイであってもよい。さらに、表示部において、バックライトを有さない透光型のディスプレイを回動可能に照明装置本体２に取り付けて、照明光をバックライトとして利用して画像表示を行う構成であってもよい。
【図面の簡単な説明】
【００３８】
【図１】本発明の第１の実施形態に係る照明装置の概観斜視図を示した図である。
【図２】第１の実施形態の照明装置における筐体内部の構成を示す図である。
【図３】第１の実施形態の照明装置における側面を示した図である。
【図４】図４（ａ）は、第１の実施形態の照明装置における有線接続された照明装置の電気的なブロック回路構成を示す図であり、図４（ｂ）は、無線通信により接続された照明装置の電気的なブロック回路構成を示す図である。
【図５】本発明の照明装置を複数配置した照明装置群における照明光照射と画像表示を共に実施できるシステム状態を示す図である。
【図６】図５に示した状態から全部の照明装置が照明光を照射する状態に切り替わった状態を示す図である。
【図７】従来の空間演出照明装置の外観構成を示した図である。
【図８】従来の照明制御装置の外観構成を示した図である。
【符号の説明】
【００３９】
１：照明装置、２：照明装置本体、２ａ：筐体、３：レンズ部、４：画像表示部、５：断熱部材、６：スペーサ、７：支持体、８：固定台部、９，１２：ギア、１０，１１：モータ部、１３：光源部、１４：インテンシティ制御部、１５：カラーシステム制御部、１６：ゴボシステム制御部、１７：吸気部、１８:排気部、２０:照明制御部、２１:第１のプロセッサ、２２: 第２のプロセッサ、２３:レンズ制御部、２４:映像用サーバ、２５: ＬＥＤ制御コンピュータ、２６: ＬＥＤ制御ボード。
【図１】
2006107921.tif 000003
【図２】
2006107921.tif 000004
【図３】
2006107921.tif 000005
【図４】
2006107921.tif 000006
【図５】
2006107921.tif 000007
【図６】
2006107921.tif 000008
【図７】
2006107921.tif 000009
【図８】
2006107921.tif 000010